(57)【要約】【課題】耐久性に優れているうえ安価に製造できる体裁のよい台所用キャビネットおよびこれに用いるパネル材を提供する。【解決手段】キャビネット本体Ａの側板４、または、この側板４とともにキャビネット本体Ａを形成する扉板５、背板４、底板５のいずれかにも、内面がステンレス箔２２の貼付面とされた中空パネル材Ｂを用いてある台所用キャビネット、および、硬質繊維板よりなる内装板２と硬質繊維板よりなる外装板３間に周枠材１を介在させて一体化した中空のパネル本体の内装板２の表面をステンレス箔２２の貼付面としてある台所用キャビネットに用いるパネル材。【選択図】  図２
0003120188.tif 000002
【実用新案登録請求の範囲】
【請求項１】
キャビネット本体(A) の少なくとも側板(4) に、内面がステンレス箔(22)の貼付面とされた中空パネル材(B) を用いてあることを特徴とする台所用キャビネット。
【請求項２】
側板(4) とともにキャビネット本体(A) の周面を形成する扉板(5) と背板(6) のいずれか一方または双方に、内面がステンレス箔(22)の貼付面とされた中空パネル材(B) を用いてある請求項１に記載の台所用キャビネット。
【請求項３】
キャビネット本体(A) の底板(7) に、内面がステンレス箔(22)の貼付面とされた中空パネル材(B) を用いてある請求項１または２に記載の台所用キャビネット。
【請求項４】
中空パネル材(B) のパネル本体が、硬質繊維板(21)の片面にステンレス箔(22)を全面的に貼り付けてある内装板(2) と、外装板(3) とを相互間に周枠材(1) を介在させて一体化したものである請求項１または２または３に記載の台所用キャビネット。
【請求項５】
外装板(3) が、硬質繊維板(31)の片面に樹脂コート化粧層を形成したものである請求項４に記載の台所用キャビネット。
【請求項６】
内装板(2) と外装板(3) の各硬質繊維板(21)、(31)の厚みが２〜４ｍｍである請求項４に記載の台所用キャビネット。
【請求項７】
硬質繊維板よりなる内装板(2) と硬質繊維板よりなる外装板(3) とを相互間に周枠材(1) を介在させて一体化した中空のパネル本体の前記内装板(2) の表面をステンレス箔(22)の貼付面としてあることを特徴とする台所用キャビネットに用いるパネル材。
【考案の詳細な説明】
【技術分野】
【０００１】
本考案は、流し台、ガス台、調理台などの台所用キャビネットおよびこれに用いるパネル材に関するものである。
【背景技術】
【０００２】
流し台、ガス台、調理台などの台所用キャビネットは、収納部になべ類・食器類や食品類を湿ったまま収納することがあるから、キャビネット本体の内面は耐水性、耐食性に富んでいるうえに汚損されにくく、また、汚損されたとしても容易に清掃できる材料で形成しておく必要がある。
【０００３】
そのため、従来の台所用キャビネットのキャビネット本体は、周面を形成する側板、扉板、背板として、ステンレス鋼板を用いることが好ましいとされているが、ステンレス鋼板は重いうえに高価なために、厚手のステンレス鋼板１００を枠状補強材１０１で補強した図４、図５に示すようなパネル材を使用するのを普通としていた。
【０００４】
ところが、前記のようなパネル材は耐水性、耐食性には優れたものではあるが、ステンレス鋼板１００の裏面を枠状補強材１０１で補強したにすぎないため、相当な厚みのものを使用しないと変形するおそれがあり、また、厚手のステンレス鋼板は高価なうえに重量も重くなり、また、周面の一部または全部が外部より見える箇所に設置すると体裁が悪く、使用個所が制限されるものであった。
【考案の開示】
【考案が解決しようとする課題】
【０００５】
本考案は前記のような問題点を解決して、使用中に変形することがなくて耐久性に優れているうえ軽量で取り扱いが容易であり、しかも、外面が外部より見える箇所にもそのまま使用できる安価な台所用キャビネットおよびこれに用いるパネル材を提供することである。
【課題を解決するための手段】
【０００６】
本考案の台所用キャビネットは、キャビネット本体の少なくとも側板に内面がステンレス箔の貼付面とされた中空パネル材を用いてあることを特徴とし、また、本考案の台所用キャビネットに用いるパネル材は、硬質繊維板よりなる内装板と硬質繊維板よりなる外装板とを相互間に周枠材を介在させて一体化した中空のパネル本体の前記内装板の表面をステンレス箔の貼付面としてあることを特徴とする。なお、本考案ではキャビネット本体の少なくとも側板が内面をステンレス箔の貼付面とする中空パネル材であれば、扉板や背板は従来の台所用キャビネットにおけるキャビネット本体に用いたものと同様の材料を用いることもできるが、通常は背面が壁面で隠されることの多い背板はともかくのこと、外面が外部より見える扉板も側板と同じように、内面をステンレス箔の貼付面とする中空パネル材よりなるものとすることもできるし、常時下面が外部から見られない底板も内面をステンレス箔の貼付面とする中空パネル材よりなるものとすることもできる。
【０００７】
また、前記した台所用キャビネットは、内面をステンレス箔の貼付面とした中空パネル材であれば中空パネル材自身の材質などは特に限定されるものではないが、硬質繊維板の片面にステンレス箔を全面的に貼り付けてある内装板と任意の外装板とを相互間に周枠材を介在させて一体化したもの、特に、外装板として前記した硬質繊維板と同様の硬質繊維板の片面に樹脂コート化粧層を形成したものが穴明けや切断などの後加工性がよいので好ましく、この場合には外装板と内装板に用いる硬質繊維板の厚みは２〜４ｍｍあれば、軽量でしかも必要な保形性を確保できる。
【考案の効果】
【０００８】
このような台所用キャビネットは、キャビネット本体の少なくとも側板に内面がステンレス箔の貼付面とされた中空パネル材を用いたものであるから、この中空パネル材により強度が保たれて変形するおそれがないものであり、また、外側面が外部から見える箇所に設置してもキャビネット本体の側板の外装面が現れることとなるので体裁がよいものとなり、さらに、キャビネット内面はステンレス箔で内張りされて耐水性が付与されたものとなるので、側板にステンレス鋼板を用いた従来製品と同様になべ類・食器類や食品類を湿ったまま収納してもキャビネット内を清潔に保つことができるし汚損されたとしても容易に清掃できるものである。
【０００９】
しかも、中空パネルを硬質繊維板の片面に従来のステンレス鋼板に比べて１／５〜１／１０程度の厚みである０、０５〜０、０６ｍｍ厚程度のステンレス箔を全面的に貼り付けてある内装板と、外装板とを相互間に周枠材を介在させて一体化したものとしたときは、厚手のステンレス鋼板よりなる成形パネルや、ステンレス鋼板を枠状補強材で補強したパネル部材に比べて軽量で取り扱いが容易となるにもかかわらず、充分な保形性を有することとなって長期間耐用できるものとなるうえコストダウンも可能となる。さらに、外装板を硬質繊維板の表面に樹脂コート化粧層を形成したものは、量産ができて安価に提供できるうえに、価格面をはじめ耐水面や体裁上の効果も大きいものがある。
【００１０】
さらに、前記したような台所用キャビネットおよびこれに用いるパネル材は、ステンレス鋼板を使用したものに比べて軽量なうえに、組立用穴や引き出しレール用穴などの穴明けや切断などの加工性が良好であって、台所用キャビネットの製造工程を簡略化できる利点がある。
【考案を実施するための最良の形態】
【００１１】
次に、本考案の好ましい実施の形態を図面に基づき説明する。
図１は台所用キャビネットの代表例である上部に流し台を設置できる形式の流し台用キャビネットのキャビネット本体を示す概略図、図２および図３は前記したキャビネット本体の周面のうち少なくとも側板を形成するための厚さが１５ｍｍ程度の中空パネル材を示す図であって、図においてＡがキャビネット本体、Ｂがこのキャビネット本体Ａに用いる中空パネル材である。
【００１２】
図１に示したキャビネット本体Ａは従来のものと同様その周面が側板４、４、扉板５、背板６により構成されているが、その両側板４、４はいずれも後記する中空パネル材Ｂにより構成されている。側板４として用いられる中空パネル材Ｂは、厚さが９ｍｍのパーチクルボードよりなる上下部材１１、１１と両側縦部材１２、１２を組み合せた外周枠材１０間に芯材１３を張架補強した角形の周枠材１を中間に介在させてその内外両面を内装板２と外装板３で覆って中空のパネル本体としたうえ、その片面を０．０４〜０．０８ｍｍ厚程度好ましくは０．０５〜０．０６ｍｍ厚のステンレス箔２２が貼り付けられた貼付面としたものであって、このような構成とすることにより、キャビネット生産工程において組立用穴や棚受用穴、引き出しレール用穴などの穴明け加工や端面切断などの切断その他必要に応じて簡単な加工処理を施すことができるものとしている。なお、前記した内装板２としては一般的にＭＤＦと呼ばれている２〜４ｍｍ厚程度の硬質繊維板２１の表面に０、０４〜０、０８ｍｍ厚程度のステンレス箔２２を全面的に貼りつけたものを用いており、一方、外装板３としては同じくＭＤＦと呼ばれている２〜４ｍｍ厚程度の硬質繊維板３１の表面に周知の樹脂含浸させた化粧紙をもって加工した樹脂コート化粧層を層着形成するなどの防水機能のある化粧処理を施したものを用いている。
【００１３】
また、図１に示したキャビネット本体Ａにおいては、両側板４、４のみに内面がステンレス箔２２の貼付面とされた中空パネル材Ｂを用いる一方、扉板５や外部から外面が見られることのない背板６や底板７は従来のキャビネット本体と変わらないものとしているが、、扉板５も前面が外部から見えるので側板４、４とともにステンレス箔２２の貼付面とされた中空パネル材Ｂを用いてもよい。
【００１４】
このようにキャビネット本体Ａの周面を形成する側板４、扉板５、背板７のうち少なくとも外面が外部に露呈される側板４、或いは、側板４と扉板５のいずれか一方または双方、さらには背板や底板として、内面がステンレス箔２２の貼付面とされた中空パネル材Ｂを用いてあるので、キャビネット本体Ａの収納部内面がステンレス張りされたものとなって、耐水性、耐食性に富んでいるうえに汚損されにくく、また、汚損されたとしても容易に清掃できることは従来のものと変わることがないが、内装板２はこれに内張りされているステンレス箔２２が極薄であるにもかかわらず、中空パネル材Ｂが必要な厚みと相当な強度を有しているので長期間使用しても撓んだりする虞がない。また、台所に設置したとき外部より見られるキャビネット本体Ａの外面は中空パネル材Ｂの外装板２の化粧表面が現れることとなるので綺麗な外観を呈する台所用キャビネットを提供できることとなる。
【００１５】
本考案は、キャビネット本体Ａのうち少なくとも側板４に内面がステンレス箔の貼付面とされた中空パネル材を用いたことにより、使用中に変形することがなくて耐久性に優れているうえ軽量で取り扱いが容易であり、しかも、台所内の設置箇所を側板外面が外部より見える箇所であっても別に外装を施すことなくそのまま使用できることとなるので、安価な台所用キャビネットを提供することが可能となる。
【図面の簡単な説明】
【００１６】
【図１】本考案の台所用キャビネットのキャビネット本体の１例を示す一部切欠斜視図。
【図２】本考案に用いる中空パネル材の１例を示す一部斜視図。
【図３】本考案に用いる中空パネル材の１例を示す断面図。
【図４】従来の台所用キャビネットの側板に用いるパネル材を示す一部切欠斜視図。
【図５】従来の台所用キャビネットの側板に用いるパネル材を示す断面図。
【符号の説明】
【００１７】
１  周枠材
２  内装板
21  硬質繊維板
22  ステンレス箔
３  外装板
４  側板
５  扉板
６  背板
Ａ  キャビネット本体
Ｂ  中空パネル材
【図１】
0003120188.tif 000003
【図２】
0003120188.tif 000004
【図３】
0003120188.tif 000005
【図４】
0003120188.tif 000006
【図５】
0003120188.tif 000007